(57)【要約】      （修正有）【課題】  通夜、葬儀に訪れた者が棺桶に収容した遺体全身と対面し、お別れをすることができるとともに、悪臭が周囲に漏洩することがない棺桶の蓋構造を提案する。【解決手段】  遺体を収容する棺桶本体１の開口上面を蓋する棺桶の蓋構造において、棺桶本体１の開口上面を蓋する蓋体１０に、遺体全身を覗くことが可能な大きさの開口部を形成し、透明シート材１３を一面に設けて開口を塞ぎ、開口に嵌合するとともに上面から取り外し自在とした天板１５を設けたことを特徴とする。【選択図】  図２
2006223380.tif 000002
【特許請求の範囲】
【請求項１】
遺体を収容する棺桶本体１の開口上面を蓋する棺桶の蓋構造において、
棺桶本体１の開口上面を蓋する蓋体１０に、遺体全身を覗くことが可能な大きさの開口１２を形成し、透明シート材１３を一面に設けて開口１２を塞ぎ、開口１２に嵌合するとともに上面から取り外し自在とした天板１５を設けたことを特徴とする棺桶の蓋構造。
【請求項２】
透明シート材１３に、遺体の顔位置の部分１３ａを除いて全体に花模様を印刷した請求項１に記載の棺桶の蓋構造。
【請求項３】
花模様に彩色を施すとともに、男性用と女性用で色を違えた請求項２に記載の棺桶の蓋構造。
【請求項４】
請求項３に記載の棺桶の蓋構造であって、花模様を男女共用の彩色としたもの、男性用の彩色としたもの、女性用の彩色としたものの３種類を商品展開する棺桶の蓋構造。
【請求項５】
透明シート材１３の表面に、写真や手紙等を収納するポケット１４を設けた請求項１、２、３又は４に記載の棺桶の蓋構造。
【発明の詳細な説明】
【技術分野】
【０００１】
この発明は、遺体を収容する棺桶に係わり、棺桶本体の開口上面を蓋する棺桶の蓋構造に関するものである。
【背景技術】
【０００２】
従来から一般に用いられている棺桶を図８に示す。図に示すように、棺桶は、遺体が寝かせられる箱体形状の棺桶本体１と、この棺桶本体１の開口上面を蓋する蓋体２とで構成され、遺体とともに遺品や花を添え、遺体の傷み、これに伴う悪臭の発生を防止するためにドライアイス等の冷却材を棺桶本体１に収容し、蓋体２で蓋して通夜、告別式、葬儀に供せられる。棺桶の素材としては、木製、合板製の他、樹脂製、紙製のものも提供されている。
【０００３】
こうした棺桶において、蓋体２は角錐状に形成され、長辺形の天板３の一方の短辺に近接した位置に開閉窓４が形成されている。この開閉窓４は遺体の顔位置に相当し、開閉窓４を開くことで、通夜、葬儀に訪れた者が開いた窓から覗いて遺体と対面する構造となっている。
【発明の開示】
【発明が解決しようとする課題】
【０００４】
このように、従来の棺桶の蓋構造では、蓋体２の開閉窓４を開いて覗くことで、遺体の顔と対面することができるが、本来であれば、蓋体２を取り外して遺体全身と対面し、お別れをすることが望ましい。しかし、冷却材を収容するなどして冷却手段を講じたとしても、蓋体２を取り外したままの状態では、悪臭の発生、周囲への漏洩が避けられず、通夜、葬儀に訪れた者が遺体全身と対面することができなかった。また、商品としての棺桶はデザイン、意匠が画一的で変化に乏しく、近年では棺桶の低価格化が進展し、より付加価値の高い製品が求められている。
【０００５】
この発明は、こうした課題を解決することを目的とするもので、通夜、葬儀に訪れた者が棺桶に収容した遺体全身と対面し、お別れをすることができるとともに、悪臭が周囲に漏洩することがない棺桶の蓋構造を提案するものである。また、装飾を施すことができてデザイン、意匠性に優れ、商品として従来にない付加価値を有するとともに、新たな商品展開を可能とする棺桶の蓋構造を提案するものである。
【課題を解決するための手段】
【０００６】
上記の目的を達成するために、この発明は、遺体を収容する棺桶本体１の開口上面を蓋する棺桶の蓋構造において、棺桶本体１の開口上面を蓋する蓋体１０に、遺体全身を覗くことが可能な大きさの開口１２を形成し、透明シート材１３を一面に設けて開口１２を塞ぎ、開口１２に嵌合するとともに上面から取り外し自在とした天板１５を設けたことを特徴とするものである。
【０００７】
また、透明シート材１３に、遺体の顔位置の部分１３ａを除いて全体に花模様を印刷するものである。この花模様に彩色を施すとともに、男性用と女性用で色を違え、さらに、花模様を男女共用の彩色としたもの、男性用の彩色としたもの、女性用の彩色としたものの３種類を商品展開するものである。
【０００８】
また、上記の棺桶の蓋構造において、透明シート材１３の表面に、写真や手紙等を収納するポケット１４を設けるものである。
【発明の効果】
【０００９】
この発明の蓋構造を適用した棺桶では、開口１２に嵌合した天板１５を上面から取り外すことで、通夜、葬儀に訪れた者が開口１２から覗いて透明シート材１３を透過し、棺桶本体１に収容した遺体全身と対面し、お別れをすることができる。また、天板１５を取り外したままの状態であっても、開口１２は透明シート材１３を一面に設けて塞がれているので、棺桶は気密状態であり、悪臭の発生、周囲への漏洩を防止することができる。この透明シート材１３の表面にポケット１４を設け、生前の写真や遺族の手紙等を収納することで、より効果的な演出をすることができる。
【００１０】
また、透明シート材１３は、遺体の顔位置の部分１３ａを除いて全体に花模様を印刷するなどして自由に装飾を施すことができ、従来の画一的な棺桶に対してデザイン、意匠性に優れ、天板１５を取り外した状態での遺体との対面は、従来の開孔窓から顔を覗く対面とは著しく異なる特徴的で印象的な効果を奏するものである。こうした花模様に彩色を施し、男性用と女性用で色を違えてさらなる装飾効果の向上が図られ、さらに、花模様を男女共用の彩色としたもの、男性用の彩色としたもの、女性用の彩色としたものの３種類を製作し、従来にない商品価値、付加価値を有する棺桶の新たな商品展開を可能とするものである。
【発明を実施するための最良の形態】
【００１１】
この発明を実施するための最良の形態について、実施例に基づいて具体的に説明する。
図１から５は、この発明の棺桶の蓋構造を適用した棺桶の最初の実施例である。図に示すように、この棺桶は、従来と同様に箱体形状の棺桶本体１と蓋体１０とで構成され、遺体を棺桶本体１に寝かせて収容し、遺品、花、ドライアイス等を併せて収容し、棺桶本体１の開口上面を蓋体１０で蓋して通夜、告別式、葬儀に供せられる。
【００１２】
蓋体１０は、四辺の周壁を傾斜側壁１１として角錐状に形成され、棺桶本体１に手を組んで収容した遺体に対する棺桶内の高さ空間を確保している。蓋体１０の頂部のほぼ全域に相当する開口１２が形成され、図５に示すように、傾斜側壁１１の上端部の裏面に周縁を貼着して透明シート材１３が開口１２の一面に設けられ、透明シート材１３で開口１２が塞がれている。この開口１２に適合した長辺形に天板１５が形成され、この天板１５は開口１２に嵌合されるとともに上面から取り外し自在とされている。図１及び３に天板１５を嵌合して開口１２を蓋した状態、図２及び４に天板１５を取り外した状態を示す。
【００１３】
図に示すように、天板１５を取り外した状態で、棺桶本体１に収容した遺体全身を透明シート材１３を透過して開口１２から覗くことができ、通夜、葬儀に訪れた者が遺体全身と対面することができる。また、このようにして天板１５を取り外した状態で、開口１２が透明シート材１３で塞がれているので悪臭が周囲に漏洩することがない。出棺時に天板１５は開口１２に嵌合され、棺桶は火葬に供せられる。
【００１４】
図６は、この発明の棺桶の蓋構造の別の実施例で、透明シート材１３の表面にポケット１４を設けたものである。ポケット１４は、透明シート材１３と同じ素材の四角の切片の３辺を透明シート材１３に貼着し、図に示すように、下半部に左右に並んで２個設けられている。このポケット１４には生前の写真、記念の写真等の写真や遺族の手紙等を収納することができ、便利であるとともに通夜、葬儀をより効果的に演出することができる。
【００１５】
図７は、この発明の棺桶の蓋構造のさらに別の実施例である。この実施例は、透明シート材１３に、遺体の顔位置の部分１３ａを除いて全体に花模様を印刷し、装飾を施したものである。花模様には彩色を施すことができ、この彩色を、男女共用の白色としたもの、男性用の青色としたもの、女性用のピンクとしたものとし、色が異なる３種類の商品展開を図るものである。また、花模様に彩色を施すとともに、遺体の上半身位置は比較的疎で、下半身側に従って密となるように花模様が配置されている。こうした配置により、遺体との対面時に花模様から上半身が浮かび上がって極めて印象的な効果を奏するとともに、下半身、特に足元を花模様で隠すようにしたものである。これは、死に装束として白足袋を装着すべきであるが、遺体への接触の嫌悪から、白足袋を足元付近に置いて装着されないこともあり、必ずしも足元まで覗き可能とする必要もなく、より装飾的な効果を目的としたものである。
【００１６】
以上、図面の実施例について説明したが、この発明の蓋構造は、木製、合板製の他、樹脂製、紙製等の棺桶の素材に拘わらずに適用可能である。また、遺体全身を覗くことが可能な大きさの開口１２を蓋体１０に形成するのであれば、蓋体１０、開口１２の形状等は実施例に限定されるものではなく、透明シート材１３の装飾も花模様以外の絵柄を施してもよい。透明シート材１３としては、樹脂薄板、樹脂フィルム、ラミネート材等を用いることができ、強靭性、透明性、印刷性等に優れたポリプロピレンフィルム材等が適している。
【図面の簡単な説明】
【００１７】
【図１】この発明の最初の実施例で、棺桶の斜視図。
【図２】天板を取り外した状態の棺桶の斜視図。
【図３】蓋体の平面図。
【図４】天板を取り外した状態の蓋体の平面図。
【図５】図４中Ａ−Ａ線で切断した断面図。
【図６】この発明の別の実施例で、天板を取り外した状態の棺桶の斜視図。
【図７】この発明のさらに別の実施例で、天板を取り外した状態の蓋体の平面図。
【図８】従来の棺桶の斜視図。
【符号の説明】
【００１８】
１  棺桶本体
１０  蓋体
１２  開口
１３  透明シート材
１３ａ  顔位置の部分
１４  ポケット
【図１】
2006223380.tif 000003
【図２】
2006223380.tif 000004
【図３】
2006223380.tif 000005
【図４】
2006223380.tif 000006
【図５】
2006223380.tif 000007
【図６】
2006223380.tif 000008
【図７】
2006223380.tif 000009
【図８】
2006223380.tif 000010